(57)【特許請求の範囲】
【請求項１】
定期券管理装置は定期券ごとにその定期券情報をデータベースで管理し、
更新したい定期券の識別情報と、書替え指定停留所情報と更新条件を、通信手段で上記定期券管理装置へ送信して更新要求を登録し、
車両の現在の停留所情報又は次の停留所情報とその車両の識別情報を上記定期券管理装置へ送信し、
上記定期券管理装置はその停留所情報を受信すると、次の停留所を書替え指定停留所として更新要求が登録されている定期券の識別情報とその更新条件を上記車両に搭載されている定期券書替え装置へ送信し、
その定期券書替え装置は受信した定期券識別情報及びその更新要求を記憶手段に記憶し、
定期券書替え装置は読み書き可能な定期券の識別情報を読み取り、その識別情報が上記記憶手段に記憶されているか否かを調べ、
記憶されていれば、その定期券の記録情報をその更新条件に書替え、
その書替えたことを上記定期券管理装置へ通知する
ことを特徴とする定期券更新方法。
【発明の詳細な説明】
【０００１】
【発明の属する技術分野】
この発明は乗合バスや鉄道などの交通機関で利用される定期券に対し、その有効期間を継続乃至更新するための定期券更新方法及び定期券書替え装置に関する。
【０００２】
【従来の技術】
一般的には定期券利用者は、購入する際に、所定の手続きを踏むために、定期券を発行できる装置を有する、営業所（販売所）の窓口に出向いて購入を申請する。
その申請に基づいて、申請条件が適合すれば、係員は定期券発行装置で定期券を発行する。定期券は、有効期間が１，３，６,１２ヶ月等、利用条件が普通、学生、福祉等の種類がある。
定期券の有効期限が切れる前からの継続、あるいは休日等があれば、期限が切れてからの継続（更新）（以下これら両者を更新と記す）を行うために定期券販売所にいって手続きする。この際に、更新分の金額をクレジットあるいは現金で支払う行為がなされる。
【０００３】
この更新の手続きは煩わしく、かつ可成りの時間を要した。すなわち定期券発行装置が高額なためにこれを設けた販売所が少なく、列をなして待つ人で時間を要した。
その対策として、更新分については簡便な自動更新装置を、定期券発行装置の他に設置する事が行われるようになった。しかし、この自動更新装置も更新の手続きが簡単とはまだ言えず、相変わらずその自動更新装置を設置している場所に行かねばならない。かつ支払行為も行うため不便さは解消されていない。
【０００４】
【発明が解決しようとする課題】
この発明の目的は、比較的簡単な手続で定期券の更新を行うことを可能とする定期券更新方法を提供することにある。
この発明の他の目的はわざわざ販売所や営業所などへ出向く必要がなく、しかも簡単な操作により定期券の更新を行うことができる定期券書替え装置を提供することにある。
【０００５】
【課題を解決するための手段】
この発明の定期券更新方法によれば、定期券管理装置で定期券ごとにその定期券情報をデータベースにより管理し、更新したい定期券の識別情報と更新条件と書替え指定停留所情報とを通信手段で定期券管理装置へ送信して更新要求を登録し、車両の位置情報を定期券管理装置へ送信し、定期券管理装置は車両が停留する次の停留所を書替え指定停留所としている定期券識別情報及び更新条件の全てを車両内の定期券書替え装置へ転送記憶し、定期券書替え装置において定期券の識別情報が読取られた際にその識別情報と一致するものが記憶されていれば、その更新条件にその定期券の情報を書替える。
【０００７】
【発明の実施の形態】
実施例１
以下この発明の実施例を説明する。最初の定期券の購入は従来通り、例えば利用する交通機関の定期券販売所に出向いて所定の手続きを行って定期券を受けとる。この定期券は読み書き可能な記録媒体、例えば非接触形式のＩＣカードにより構成される。例えば図１に示すようにこの定期券１１には利用者の氏名、利用路線名、利用区間、つまり乗降する両端の停留所（駅）名、必要に応じて乗継又は経由停留所（駅）名、有効期日（○年○月○日−○年○月○日）、有効期間（○カ月）、金額、定期券１１の識別情報（カードＩＤ）、年令、性別、発行会社名などが記録される。
【０００８】
各発行された定期券１１を定期券管理装置で管理する。例えば図２に示すように、定期券販売所の定期券発行装置１２をインターネットなどのデータ通信網１３を介して定期券管理装置１４と接続し、定期券１１を発行した際に得たその定期券１１に関する情報を定期券管理装置１４へ送信し、定期券管理装置１４は各定期券１１ごとにデータベース１５で管理する。データベース１５には例えば図３に示すように、定期券１１ごとに、発行会社名、利用者氏名、その利用者の識別番号（ＵＩＤ、例えば暗証番号）、カードＩＤ（定期券識別情報：固有コード）、利用路線、利用区間、種別、期間、有効期日、金額、発行日、年令、性別、発行場所、住所、電話番号、口座番号、更新要求受付日、更新条件として更新開始日と期間、書替え指定停留所、更新日時、更新路線と停留所（駅）などを記録する。ここで口座番号以下の項目は、この発明の実施例による定期券更新のために特に設けたものである。口座番号は定期券１１の更新に対する金額をその利用者の銀行口座から引き落すために、定期券１１を購入した際に予め申告してもらったものである。銀行口座番号の代りにクレジットカード番号などでもよい。
【０００９】
定期券１１の有効期限が近づき、定期券１１の更新をしたい場合は、その利用者は定期券管理装置１４に通信手段により更新要求をする。例えば、図２に示すように利用者１６は電話機１７により、利用している交通機関の申請部署、例えば営業所１８、旅行会社などの取り扱い店１９、定期券販売所などへ電話して更新要求をする。この更新要求は利用者名、暗証番号、更新条件（○年○月○日から○カ月、あるいは単に○カ月）、書替え指定停留所などを伝えて行う。この電話を受けた者は、その営業所装置２１あるいは取扱店装置２２にその更新要求をデータ入力して、定期券管理装置１４へデータ通信網１３を介して送信する。
【００１０】
定期券管理装置１４は、その更新要求を受信すると（図４Ａ、Ｓ１）、更新要求に対する審査を行い、更新要求情報中の利用者名又は／及び暗証番号をキーとしてデータベース１５を検索して、その定期券に関する情報記録欄中の更新要求受付日の項にその受付け日を、更新条件の更新開始日の項、期間の項にそれぞれの受信対応情報の内容を、また書替え指定停留所の項に書替え指定停留所情報をそれぞれ記録する（Ｓ２）。なお有効期限が切れた翌日から更新開始とする場合は、更新開始日を省略してもよい。休日などで有効期限が切れた後から次の有効期限を設定したい場合は更新開始日も送る。電話による更新要求は携帯電話機のみならず、家庭の電話機、公衆電話機など何れでもよい。また、営業所１８や取扱店１９にｅ−ｍａｉｌやＦＡＸ等で要求を伝えても良い。あるいは、利用者が自身の、又は身近かにあるパーソナルコンピュータ２５を操作して、前記更新要求情報を入力して、定期券管理装置１４へ直接送信してもよい。
【００１１】
この実施例ではバス車両２７が次の停留所に近づくと、あるいは停留所で停止し、再び走行を開始した後（又は停留所を通過すると）次の停留所情報を定期券管理装置１４へそのバス車両の識別情報と共に送信する。この送信はバス車両２７に搭載した無線機２６により、図５に示すように行ってもよい。この場合、車両案内装置と連動させて、各停留所ごとにその停留所情報を送信させることができる。あるいはバスロケーションシステムが設けられている場合はバス車両が停留所に来ると、バスロケーションシステムでこれを検出して、そのバス車両識別情報及びその（現在の）停留所情報をバスロケーションシステムのバス運行管理装置へ自動的に送信され、バス運行管理装置はバス車両識別情報及び停留所情報を受信するごとに、これを定期券管理装置１４へ送信するようにしてもよい。バス運行管理装置はそのバス車両の次の停留所情報を検出してこれとバス車両情報を定期券管理装置１４へ送信してもよい。
【００１２】
定期券管理装置１４はバス車両識別情報及び次の停留所情報を受信すると（図４Ｂ、Ｓ１）、その次停留所を書替え指定停留所として定期券の更新登録がなされているものがあるかをデータベース１５の検索により調べ（Ｓ２）、あれば、その全てについて定期券識別情報及びその更新条件（更新要求データ）を読出し（Ｓ３）、これら更新要求データを、受信したバス車両識別情報のバス車両２７に搭載されている定期券書替え装置２８へ送信する（Ｓ４）。その送信は無線機３１によりバス車両２７の無線機２６へ直接送信してもよく、あるいは、データ通信網１３を介し、バスロケーションシステムの停留所装置（図示せず）を介して無線機２６へ送信してもよい。
【００１３】
この例では定期券書替え装置２８はカード式乗車券処理装置を兼用した場合である。この車両内装置２８もこの例ではコンピュータによりプログラムを実行させて動作させるようにした場合である。つまり、図６に示すように、定期券１１に対しその記録情報の読み出し、書替えを行うカードリーダライタ４１、記憶部４３、バス車両内機器との通信を行う通信インターフェイス４４、表示部４５、時計４６、プログラムが格納されたメモリ４７、ＣＰＵ４８、無線機２６、バス車両の現在位置を検出する位置検出器３１がバス４９に接続され、ＣＰＵ４８がメモリ４７内のプログラムを実行して動作する。
【００１４】
無線機２６に更新要求データが受信されると、定期券書替え装置２８（この例ではカード式乗車券処理装置と兼用）の記憶部４３にその更新要求データが記憶される。記憶部４３には例えば図８に示すようにカードＩＤ（定期券識別情報）ごとに更新条件、書替日時、書替路線又は停留所をそれぞれ記録する項が設けられ、定期券管理装置１４から更新データが送信記憶された際には、カードＩＤと更新条件のみが記録されている。
なお、この例では均一区間料金制における定期券の処理について説明する。均一区間料金制では、そのバス路線の何れの停留所から乗車して何れの停留所で降車しても同一運賃であるため、一般にバス乗車時にのみ定期券１１をカードリーダライタ４１にかざして、定期券１１の記録情報を読み取らせる（図７、Ｓ２）。
【００１５】
定期券１１から読み取った記録情報中の識別情報と一致する識別情報が記憶部４３に記憶されているか否かを調べ（Ｓ３）、つまりその定期券１１が更新対象か否かを調べる。一致するものがなければ通常の処理、つまりその定期券１１が有効なものであるかを調べる（Ｓ４）。ステップＳ３で一致するものがあれば、（更新対象であれば）その一致した識別情報の更新条件に、その定期券１１の記録情報をカードリーダライタ４１で書替える（Ｓ５）。このようにして定期券１１の有効期限の更新が自動的になされる。この場合は定期券１１を利用して乗車する際に行う通常の動作、この例ではカードリーダライタ４１に定期券１１をかざすという動作のみで定期券１１の更新が自動的に行われる。この定期券１１の更新を行った際に、そのことを利用者へスピーカ３２又は／及び表示部４５により定期券更新が完了したことを報知するとよい。
【００１６】
この更新した日時と更新した路線又は停留所、つまり更新済み情報を記憶部４３のその識別情報（カードＩＤ）の欄に書込み（Ｓ６）、通常処理（Ｓ４）に移る。従って乗車時に、定期券１１の有効期限が切れていても、更新条件の更新開始日がその日以前であれば、その定期券１１は有効なものとして処理される。
定期券管理装置１４から更新済データの要求が受信されると（Ｓ７）、記憶部４３内の更新データで当該定期券に対し更新を行ったデータ、つまり、図８に示した記憶部４３の記憶内容の書替欄に対する書込みがなされているものを読み出して定期券管理装置１４へ送信し（Ｓ８）、送信した更新済データを記憶部４３から消去する（Ｓ９）。なおステップＳ８における更新済データの送信は無線機により直接又はデータ通信網１３を介して行う。更新済データの要求が受信される前に、ステップＳ１における次の停留所における更新データを受信すると、記憶部４３内の送信されていない更新済データの次に受信更新データを格納する。
【００１７】
定期券管理装置１４では図４Ｃに示すように、更新済データを受信すると（Ｓ１）、データベース１５中のそのカードＩＤの欄中の更新日時の項に更新した日時を、更新路線、停留所の項に更新した路線／停留所、必要に応じて車両番号を記録し、また必要に応じて更新要求受付日の項の日付を消去して、この定期券１１は更新処理が終了したことのフラグとする（Ｓ２）。１つのバス車両についての運行が終了した、あるいは毎日の予め決めた時間になった等、予め決めた決済処理時（条件）になると（Ｓ３）、更新処理が終了したフラグが立っている定期券の情報についてその口座番号の項を読み出し、必要に応じて住所、氏名も読み出し、これらをその銀行に送り、定期券更新に基づく料金の引き落し要求を行う、つまり決済処理を行う（Ｓ４）。なお前記更新要求受付日の消去はこの決済処理後でもよい。またこの決済処理は更新要求を受付けた時に行ってもよい。あるいは更新要求を受付けた時、又は更新処理が終了した時に、利用者に更新料金の請求書を送ってもよい。特に会社など集団に対しては、予めまとまった金額を受取っておき、その集団に属する利用者の定期券の更新料を、その受取った金額から引き落してもよく、あるいは定期的にそれまでの更新料金を合計してその集団に請求するようにしてもよい。
【００１８】
定期券管理装置１４からバス車両２７に対する更新済データの要求は、定期券管理装置１４の負担の具合により、適宜バス車両の定期券更新装置２８に対し送信する。この送信は無線機２６に直接又はデータ通信網１３を介して行うことができる。
なお定期券管理装置１４はコンピュータによりプログラムを実行させて動作させる場合は例えば図１０に示すように、車両装置２８とほぼ同様な構成となる。メモリ５１に格納されるプログラムが、図４Ａ，Ｂ，Ｃの処理を行うものとなる。
停留所の間隔が短かく、各停留所ごとに定期券管理装置１４と定期券更新装置２８との間での情報通信を行うには、その通信頻度が高く、不便である場合は、連続する複数の停留所について、各書替え指定している更新データをその前の区間でまとめて送信するようにしてもよい。
この実施例によれば、定期券管理装置１４のデータベース１５の更新を適宜行うことにより、同じ定期券に対して、複数回の更新チェックおよび処理をしなくて済み、つまり無駄な処理が少なくなる。
【００１９】
なお、この例では均一区間料金制について説明したが、多区間料金制の場合も同様に適用できる。多区間料金制では乗車している区間に応じた運賃を支払う方式であるため、乗車時と降車時に定期券１１をカードリーダライタ４１にかざして定期券１１の記録情報を読み取らせ、降車時に精算処理を行っている。具体的には  図９に示すように、乗車側カード式乗車券処理装置２８Ａのカードリーダライタ４１Ａに定期券１１をかざし、その記録情報を読み取らせる。乗車側カード式乗車券処理装置２８Ａは図６中の記憶部４３が省略され、またメモリ４７のプログラムの内容が変更され、例えばバス車両２７内のデジタル運賃表示器（図示せず）から通信インタフェース４４に送られたバス車両２７の現在の停留所情報や時計４６からの現在の日時情報などに基づき、定期券１１の有効性が判定される。次に降車時に定期券書替え装置２８と兼用される降車側カード式乗車券処理装置２８Ｂのカードリーダライタ４１Ｂに定期券１１をかざし、その記録情報を読み取らせる。降車側カード式乗車券処理装置２８Ｂは図６に示した構成を備え、図７に示した処理を行い、つまり更新要求のカードＩＤが記憶部４３に記録してあれば書替え処理(更新処理）を行い、通常処理Ｓ４における有効性判定は乗車側の処理と同様に行う。あるいは、乗車側カード式乗車券処理装置２８Ａでは、読み取ったカードＩＤなどの記録情報を降車側カード式乗車券処理装置２８Ｂへ送り、装置２８Ｂ内にそのカードＩＤとその時の現在停留所とを対にして記憶しておき、降車側カード式乗車券処理装置２８Ｂで降車時にその定期券１１の利用区間、有効期間に対する有効性を判定するようにしてもよい。上記の例では、多区間方式におけるバス車両内での定期券の更新を降車時に行ったが、均一方式と同様に乗車側カード式乗車券処理装置２８Ａを定期券書替え装置２８として、乗車時に更新させてもよい。このようにこの発明の方式によれば、定期券を１回しかも短時間処理するだけで更新要求のある定期券の更新が可能となる。
【００２０】
実施例２
次にこの発明の実施例２を説明する。実施例２においても実施例１と同様に、例えば図１に示した定期券１１が用いられ、その購入も同様に行われ、定期券更新のためのシステム構成も図２に示したものとほぼ同様であり、定期券更新登録もほぼ同様に行われるが、その更新登録時に、書替え停留所の指定は行わない。従って、定期券管理装置１４のデータベース１５の内容も、書替え指定停留所の欄は必ずしも必要ではない。またこの実施例２では均一区間料金制には適用できず、多区間料金制にのみ適用できる。定期券書替え装置２８は図９について説明したものとなり、その構成は図６に示したものと同様に構成できる。ただし位置検出部３１は不要である。定期券管理装置１４の構成も図１０に示したものと同様のものとすることができる。
【００２１】
以下、実施例２の定期券更新方法を説明する。先に述べたように実施例１と同様に定期券の更新登録が定期券管理装置１４になされているものとする。
利用者がバス車両２７に乗車し、その乗車側カード式乗車券処理装置２８Ａ（図９）に定期券１１をふりかざすと、カードリーダライタ４１Ａがその定期券１１の記録情報を読み取り（図１１、Ｓ１）、その読み取った情報について有効性などのチェックなど通常の処理を行い（Ｓ２）、更にその定期券１１が更新時期か否かを調べる（Ｓ３）。つまり例えば、その定期券の有効期間の終了期日が現在より１週間など予め決めた期間以内か、又は有効期間が既に経過しているが、２〜３日など予め決めた期間内であるかを調べ、予め決めた期間内であれば、その定期券１１は更新時期にあると判断して、そのカードＩＤなどをバス車両識別情報と共に定期券管理装置１４へ送信する（Ｓ４）。この送信は無線機２６から無線機３１へ直接又はデータ通信網１３を介して行う。
【００２２】
定期券管理装置１４はバス車両から更新時期のカードＩＤを受信すると（図１２、Ｓ１）、そのカードＩＤによりデータベース１５を検索し、そのカードＩＤの定期券情報に更新要求が登録されているかを調べる（Ｓ２）。更新要求の登録があれば、その更新条件とカードＩＤを、受信したバス車両識別情報の定期券更新装置２８へ送信する（Ｓ３）。
バス車両２７の無線機２６が定期券管理装置１４から更新条件等を受信すると降車側カード式乗車券処理装置２８Ｂ（図９）の記憶部４３にそのカードＩＤと更新条件を記憶する（図７、Ｓ１）。
【００２３】
その後は、この実施例２の定期券更新処理がバスの降車時であることを除き、実施例１（図７）とほぼ同じように処理される。具体的に説明すると、利用者がそのバス車両２７からの降車時に、降車側カード式乗車券処理装置２８Ｂに定期券１１をふりかざし、カードリーダライタ４１Ｂがその定期券１１の記録情報を読み取ると（Ｓ２）、その読み取ったカードＩＤが記憶部４３に記憶されてあるか、つまり更新対象の定期券か否かを調べる（Ｓ３）。読み取ったカードＩＤと一致するものが記憶部４３にあれば、その定期券は更新対象のものと判断して、その定期券１１の記録を記憶部４３内のそのカードＩＤの更新条件に、カードリーダライタ４１Ｂにより書き替え、定期券１１の更新を行い、また定期券の更新が完了したことを利用者に可聴的又は／及び可視的に報知する（Ｓ５）。この更新にもとづき、記憶部４３内に該当カードＩＤに対し、更新済みとその停留所情報などの記録を行い（Ｓ６）、その定期券記録情報の有効性の判断などの通常処理に移る（Ｓ４）。
【００２４】
その後は、定期券管理装置１４から更新データの要求を受信すると（Ｓ７）、記憶部４３内の更新済のカードＩＤ、更新時の停留所情報などの更新済データを定期券管理装置１４へ送信し（Ｓ８）、その送信したカードＩＤに関する記憶部４３内の更新済情報を消去する（Ｓ９）。
定期券管理装置１４における更新データの受信に対する処理は実施例１と同様、つまり図４Ｃに示した処理が行われる。このように利用者がバス車両２７に乗車中に定期券の更新が行われる。従って、その通信手段は、なるべく高速なＰＨＳ方式やＩＭＴ−２０００などの携帯無線電話方式が望ましいが、バス車両−営業所間用無線機によって実現してもよい。
【００２５】
この発明の実施例１，２の構成によれば、定期券の更新データが更新する直前になって定期券更新装置に送信されてくるため、メモリの記憶容量を小さくすることが出来る。
また書き替え指定停留所や更新時期をチェックする事により不要な更新データを少なくできるため、更新要求のあった定期券を検索する時間を短くすることが出来る。特に定期券として非接触ＩＣカードを用いている場合、その通信可能時間は他の媒体に比べて短いため、本発明を適用すれば特に都合がよい。
カード式乗車券処理装置２８に定期券書替え装置を兼用させたこのカード式乗車券処理装置２８は、定期券を処理するものに限らず、プリペイド乗車券をも処理するものでもよい。このように兼用装置とすることなく、定期券書替え装置を専用装置として設けてもよい。定期券１１としては非接触式ではなく、接触式のものでもよく、またＩＣカードではなく磁気カードでもよく、要は読み書き可能な記録媒体を有するものであればよい。更にバスの定期券に限らず、ワンマン鉄道、路面電車等の定期券書替えにもこの発明を適用できる。
【００２６】
【発明の効果】
以上述べたように、この発明によれば定期券書替え装置に定期券を読み取らせることにより、更新をさせることができ、手間が頗る簡単である。特に定期券読み取り装置にこの定期券書替え装置を兼用させる場合は、通常の定期券による交通機関を利用する際に自動的に行われる。
しかも、このように簡単に更新ができるようにする登録手続きは営業所や取扱い店などへ出向くことなく、電話により、あるいはパーソナルコンピュータにより行うことができ、頗る便利である。
【００２７】
更に車両内に記憶してある更新カードＩＤの数が少ないため、その記憶手段は記憶容量が小さいもので済み、また一致するカードＩＤの検索の時間が短くて済み、乗、降の際の定期券更新を短時間で行うことができ、利用客の乗降処理を迅速に行うことができる。また定期券管理装置内のデータベース１５を適宜更新することにより、同じ利用客の定期券に対し複数回の更新チェック及び処理を行わないで済む。
【図面の簡単な説明】
【図１】定期券の記録内容の例を示す図。
【図２】この発明方法が適用されるシステム構成の例を示す図。
【図３】定期券管理装置のデータベース１５の記録情報の例を示す図。
【図４】この発明の実施例１における定期券管理装置の処理手順の例を示す流れ図。
【図５】次停留所情報の定期券管理装置への通知を示す図。
【図６】この発明の定期券書替え装置の構成例を示す図。
【図７】この発明の実施例１、２における定期券書替え装置の処理手順の例を示す流れ図。
【図８】記憶部４７内の更新データの記憶内容の例を示す図。
【図９】バス車両内の乗車側及び降車側カード式乗車券処理装置を簡単に示す図。
【図１０】定期券管理装置１４の構成例を示す図。
【図１１】この発明の実施例２における乗車時の車載装置での処理手順の例を示す流れ図。
【図１２】この発明の実施例２における定期券管理装置の処理手順の例の一部を示す流れ図。
【図１】
0004710182.tif 000002
【図２】
0004710182.tif 000003
【図３】
0004710182.tif 000004
【図４】
0004710182.tif 000005
【図５】
0004710182.tif 000006
【図６】
0004710182.tif 000007
【図７】
0004710182.tif 000008
【図８】
0004710182.tif 000009
【図９】
0004710182.tif 000010
【図１０】
0004710182.tif 000011
【図１１】
0004710182.tif 000012
【図１２】
0004710182.tif 000013